(57)【要約】【課題】カラオケ装置が設置されたスナックなどの店舗において、顧客の利便性を向上させながら、カラオケ装置の管理者の負担を軽減すること。【解決手段】十八番登録機（リモコン端末）２から入力された十八番曲情報をカラオケ装置本体１に一旦集めた後に、十八番登録機マスター（リモコン端末）２Ｍにて過去の十八番曲リストとともに集計することで最新の十八番曲リストとする。そして、その最新の十八番曲リストをカラオケ装置本体１および十八番登録機２に記憶させる。【選択図】図７
2007155770.tif 000002
【特許請求の範囲】
【請求項１】
楽曲データに基づいてカラオケ演奏を行うカラオケ装置本体と、前記カラオケ装置本体に演奏させるべき演奏楽曲をユーザに選曲させ、前記選曲された演奏楽曲を前記カラオケ装置に通知する選曲通知機能を有する複数のリモコン端末と、を備え、前記カラオケ装置本体と前記複数のリモコン端末それぞれとの間でデータ通信可能に構成されている酒場市場向けカラオケ装置であって、
前記複数のリモコン端末は、それぞれ、
前記カラオケ装置に演奏させるべき演奏楽曲をユーザの十八番曲として受け付ける十八番曲受付手段と、
前記十八番曲受付手段が受け付けた前記十八番曲に関する十八番曲情報を記憶する端末側情報記憶手段と、
一つ以上の前記十八番曲情報からなる十八番曲リストを記憶する端末側リスト記憶手段と、
前記カラオケ装置本体との間でデータ通信可能な端末側送受信手段と、
第一の所定条件を満たす場合に、前記端末側情報記憶手段が記憶する十八番曲情報を読み出して前記カラオケ装置本体へ前記端末側送受信手段を制御して送信させる端末側送信制御手段と、を備え、
前記カラオケ装置本体は、
前記リモコン端末との間でデータ通信可能な本体側送受信手段と、
前記本体側送受信手段が受信した前記十八番曲情報を記憶可能な本体側情報記憶手段と、
前記本体側送受信手段が受信した前記十八番曲リストを記憶可能な本体側リスト記憶手段と、
前記本体側送受信手段が十八番曲情報を受信した場合にはその受信した十八番曲情報を前記本体側情報記憶手段に記憶させるとともに、前記本体側送受信手段が十八番曲リストを受信した場合にはその受信した十八番曲リストを用いて前記本体側リスト記憶手段の記憶内容を更新する本体側記憶制御手段と、
前記リモコン端末からの要求に応じ、前記本体側情報記憶手段が記憶する十八番曲情報を読み出して前記本体側送受信手段を制御して前記リモコン端末へ送信させるとともに、前記本体側リスト記憶手段が記憶する十八番曲リストを読み出して前記本体側送受信手段を制御して前記リモコン端末へ送信させる本体側送信制御手段と、を備え、
前記リモコン端末のうちの一つである特定リモコン端末は、
前記端末側送信制御手段は、第二の所定条件を満たす場合には、前記カラオケ装置本体の前記装置側情報記憶手段が記憶する前記十八番曲情報を送信するよう要求する旨を前記カラオケ装置本体へ前記端末側送受信手段を制御して送信し、
さらに、前記カラオケ装置本体から送信された十八番曲情報を用いて、前記端末側リスト記憶手段が記憶する十八番曲リストを更新する十八番曲リスト更新手段と、を備え、
前記特定リモコン端末の前記端末側送信制御手段は、前記端末側リスト記憶手段が記憶する十八番曲リストが前記十八番曲リスト更新手段によって更新された場合には、その更新された十八番曲リストを前記端末側リスト記憶手段から読み出し、その読み出した十八番曲リストを前記カラオケ装置本体へ前記端末側送受信手段を制御して送信するとともに、前記十八番曲リストが更新された旨を、前記リモコン端末のうち当該特定リモコン端末以外である一般リモコン端末へ前記端末側送受信手段を制御して送信し、
前記一般リモコン端末の前記端末側送信制御手段は、第三の所定条件を満たす場合には、前記カラオケ装置本体の前記装置側リスト記憶手段が記憶する前記十八番曲リストを送信するよう要求する旨を前記カラオケ装置本体へ前記端末側送受信手段を制御して送信し、
前記一般リモコン端末は、さらに、
前記カラオケ装置本体から送信された十八番曲リストを用いて、前記端末側リスト記憶手段が記憶する十八番曲リストを更新する端末側記憶制御手段を備えること
を特徴とする酒場市場向けカラオケ装置。
【請求項２】
請求項１に記載の酒場市場向けカラオケ装置において、
前記特定リモコン端末は、
前記端末側送受信手段が前記十八番曲情報を受信した際に、前記十八番曲情報に含まれる演奏楽曲に関する演奏楽曲情報を外部から取得する情報取得手段と、
前記演奏楽曲情報を表示可能な表示手段と、
前記情報取得手段によって取得された演奏楽曲情報を、対応する十八番曲情報とともに前記表示手段に表示させる表示制御手段と、
を備えることを特徴とする酒場市場向けカラオケ装置。
【発明の詳細な説明】
【技術分野】
【０００１】
本発明は、カラオケ装置が設置されたスナックなどの店舗において、顧客の利便性を向上させながら、カラオケ装置の管理者の負担を軽減する技術に関する。
【背景技術】
【０００２】
従来より、カラオケボックスのロビーや店舗外に設置される予約登録装置を介して、カラオケ店に行く前にカラオケ曲の曲番号を予約登録することが可能なカラオケ装置の演奏予約装置が知られている（例えば、特許文献１参照。）。
【０００３】
しかし、上述のようなカラオケ装置の演奏予約装置においては、カラオケ演奏曲を予約する度に、顧客自らが予約登録装置を操作する必要がある。
このような問題を解決する手法として、カラオケ装置が設置されたスナックなどの店舗の中には、顧客を接客する店員が顧客から所望のカラオケ演奏曲を聞きだし、その聞き出したカラオケ演奏曲を予約している店舗がある。このことにより、顧客自らが予約登録装置を操作する必要がなく、顧客の利便性を向上させることができる。
【０００４】
このようなカラオケ装置が設置されたスナックなどの店舗では、顧客や店員によるカラオケ装置の誤操作を防ぐために、カラオケ演奏を所望するカラオケ演奏曲を顧客から店員が聞きだし、その聞き出したカラオケ演奏曲を店長などの管理者に伝達して予約してもらう場合がある。
【０００５】
さらに、このような店舗の中には、店員が顧客の十八番曲をメモ帳などに記録しておき、その顧客が次回来店した際に、その顧客が十八番曲を告げなくても、その店員が自分のメモ帳などを参照してその顧客の十八番曲を予約するようにしている店舗がある。しかし、上述のような場合、異なる店員がその顧客に応対した場合には、その店員はその顧客の十八番曲を知らないため、顧客から十八番曲を聞き出して予約する必要がある。そこで、店舗の中には、店員が聞き出した顧客の十八番曲を管理者が記録しておき、その顧客を接待する店員にその十八番曲を管理者が知らせるようにしている店舗がある。
【特許文献１】特開平０９−１９８０７０号公報（第３，４頁、図１）
【発明の開示】
【発明が解決しようとする課題】
【０００６】
しかし、上述のようなカラオケ演奏曲の予約手法においては、店員が聞きだした十八番曲を管理者が記録しておき、その顧客を接待する店員にその十八番曲を管理者が知らせるようにしているために、管理者の負担が大きくなるという問題があった。
【０００７】
なお、上述のカラオケ装置の演奏予約装置においても、この問題を解決することはできないと考えられる。
本発明は、このような不具合に鑑みなされたものであり、その目的とするところは、カラオケ装置が設置されたスナックなどの店舗において、顧客の利便性を向上させながら、カラオケ装置の管理者の負担を軽減する技術を提供することにある。
【課題を解決するための手段】
【０００８】
上記課題を解決するためになされた請求項１に係る酒場市場向けカラオケ装置は、「リモコン端末から入力された十八番曲情報をカラオケ装置本体に一旦集めた後に特定のリモコン端末にて過去の十八番曲リストとともに集計することで最新の十八番曲リストとし、その最新の十八番曲リストをカラオケ装置本体およびリモコン端末に記憶させること」を特徴とする。
【０００９】
具体的には、上述の酒場市場向けカラオケ装置は、楽曲データに基づいてカラオケ演奏を行うカラオケ装置本体と、カラオケ装置本体に演奏させるべき演奏楽曲をユーザに選曲させ、前記選曲された演奏楽曲をカラオケ装置に通知する選曲通知機能を有する複数のリモコン端末と、を備えており、カラオケ装置本体と複数のリモコン端末それぞれとの間でデータ通信可能に構成されている。
【００１０】
このうち複数のリモコン端末は、それぞれ、カラオケ装置に演奏させるべき演奏楽曲をユーザの十八番曲として受け付ける十八番曲受付手段と、十八番曲受付手段が受け付けた十八番曲に関する十八番曲情報を記憶する端末側情報記憶手段と、一つ以上の十八番曲情報からなる十八番曲リストを記憶する端末側リスト記憶手段と、カラオケ装置本体との間でデータ通信可能な端末側送受信手段と、端末側送信制御手段と、を備える。端末側送信制御手段は、第一の所定条件を満たす場合に、端末側情報記憶手段が記憶する十八番曲情報を読み出し、その読み出した十八番曲情報をカラオケ装置本体へ端末側送受信手段を制御して送信させる。なお、第一の所定条件の具体例としては、例えば午前８時など予め設定された時刻であることや、リモコン端末の電源が投入されたことなどが考えられる。
【００１１】
一方、カラオケ装置本体は、リモコン端末との間でデータ通信可能な本体側送受信手段と、本体側送受信手段が受信した十八番曲情報を記憶可能な本体側情報記憶手段と、本体側送受信手段が受信した前記十八番曲リストを記憶可能な本体側リスト記憶手段と、本体側記憶制御手段と、本体側送信制御手段と、を備える。本体側記憶制御手段は、本体側送受信手段が十八番曲情報を受信した場合には、その受信した十八番曲情報を本体側情報記憶手段に記憶させる。また、本体側記憶制御手段は、本体側送受信手段が十八番曲リストを受信した場合には、その受信した十八番曲リストを用いて本体側リスト記憶手段の記憶内容を更新する。本体側送信制御手段は、リモコン端末からの要求に応じ、本体側情報記憶手段が記憶する十八番曲情報を読み出し、その読み出した十八番曲情報を、本体側送受信手段を制御してリモコン端末へ送信させる。また、本体側送信制御手段は、リモコン端末からの要求に応じ、本体側リスト記憶手段が記憶する十八番曲リストを読み出し、その読み出した十八番曲リストを、本体側送受信手段を制御してリモコン端末へ送信させる。
【００１２】
さらに、リモコン端末のうちの一つである「特定リモコン端末」は、次のような特徴を有する。すなわち、特定リモコン端末の端末側送信制御手段は、第二の所定条件を満たす場合には、カラオケ装置本体の装置側情報記憶手段が記憶する十八番曲情報を送信するよう要求する旨をカラオケ装置本体へ端末側送受信手段を制御して送信する。なお、第二所定条件の具体例としては、例えば午前９時など予め設定した時刻であることや、特定リモコン端末の電源が投入されたことなどが考えられる。そして、特定リモコン端末の十八番曲リスト更新手段が、カラオケ装置本体から送信された十八番曲情報を用いて、端末側リスト記憶手段が記憶する十八番曲リストを更新する。さらに、端末側リスト記憶手段が記憶する十八番曲リストが十八番曲リスト更新手段によって更新された場合には、特定リモコン端末の端末側送信制御手段が、その更新された十八番曲リストを端末側リスト記憶手段から読み出し、その読み出した十八番曲リストをカラオケ装置本体へ端末側送受信手段を制御して送信するとともに、上述のように十八番曲リストが更新された旨を、リモコン端末のうち当該特定リモコン端末以外である「一般リモコン端末」へ端末側送受信手段を制御して送信する。
【００１３】
また、一般リモコン端末では、端末側送信制御手段が、第三の所定条件を満たす場合には、カラオケ装置本体の装置側リスト記憶手段が記憶する十八番曲リストを送信するよう要求する旨をカラオケ装置本体へ前記端末側送受信手段を制御して送信する。なお、第三所定条件の具体例としては、上述のように十八番曲リストが更新された旨を受信したときや、例えば午前８時など予め設定した時刻であること、一般リモコン端末の電源が投入されたことなどが考えられる。さらに、端末側記憶制御手段が、カラオケ装置本体から送信された十八番曲リストを用いて、端末側リスト記憶手段が記憶する十八番曲リストを更新する。
【００１４】
このように構成された本発明の酒場市場向けカラオケ装置によれば、リモコン端末から入力された十八番曲情報をカラオケ装置本体に一旦集めた後に特定のリモコン端末にて過去の十八番曲リストとともに集計することで最新の十八番曲リストとし、その最新の十八番曲リストをカラオケ装置本体およびリモコン端末に記憶させる。このことにより、カラオケ装置が設置されたスナックなどの店舗において、顧客の利便性を向上させながら、カラオケ装置の管理者の負担を軽減することができる。
【００１５】
ところで、上述のような店舗では、例えば顧客がカラオケ演奏を予約し、実際にカラオケ演奏が行われた際に、その都度カラオケ装置の利用料を顧客から店員が徴収し、その徴収した利用料を管理者に手渡しする場合がある。このような場合、利用料の集計を管理者が顧客ごとに行う必要があり、管理者の負担が大きくなるという問題があった。また、徴収した利用料を店員が管理者に渡すのを失念したり、顧客ごとの利用料を管理者が誤って集計したりする可能性があった。
【００１６】
そこで、特定リモコン端末において演奏楽曲に対応する料金などの情報を表示することが考えられる。具体的には、請求項２のように、特定リモコン端末が、端末側送受信手段が十八番曲情報を受信した際に、十八番曲情報に含まれる演奏楽曲に関する演奏楽曲情報を外部から取得する情報取得手段と、演奏楽曲情報を表示可能な表示手段と、情報取得手段によって取得された演奏楽曲情報を、対応する十八番曲情報とともに表示手段に表示させる表示制御手段と、を備えることが考えられる。なお、上述の演奏楽曲情報の具体例としては、カラオケ装置の利用料や、演奏楽曲の利用料などが考えられる。
【００１７】
このように構成すれば、カラオケ装置を利用する度に利用料を店員が顧客から徴収しなくても、表示手段に表示された演奏楽曲情報を参照して利用料を集計し、会計清算時にまとめて請求することができ、カラオケ装置の利用料をその都度顧客から徴収する手間が省けるとともに、管理者の負担を軽減することができる。また、例えば徴収した利用料を店員が管理者に渡すのを失念したり、顧客ごとの利用料を管理者が誤って集計したりする可能性が少なくなる。
【発明を実施するための最良の形態】
【００１８】
以下に本発明の実施形態を図面とともに説明する。
［第一実施形態］
図１は酒場市場向けカラオケ装置１００の全体構成を示すブロック図である。
【００１９】
［酒場市場向けカラオケ装置１００の構成の説明］
酒場市場向けカラオケ装置１００は、図１に示すように、楽曲データに基づいてカラオケ演奏を行うカラオケ装置本体１と、カラオケ装置本体１に演奏させるべき演奏楽曲をユーザに選曲させ、選曲された演奏楽曲をカラオケ装置本体１に通知する選曲通知機能を有する複数の十八番登録機２（リモコン端末、以下、単にリモコン端末２と称す。）と、十八番登録マスター機２（リモコン端末、以下、マスターリモコン端末２Ｍと称す。）と、表示装置３と、無線ＬＡＮアクセスポイント５と、を備えており、カラオケ装置本体１本体と複数のリモコン端末２それぞれとの間で無線ＬＡＮアクセスポイント５を介してデータ通信可能に構成されている。また、本実施形態では、カラオケ装置本体１本体とマスターリモコン端末２Ｍとの間については、ＬＡＮ回線にてデータ通信可能に構成されている。さらに、カラオケ装置本体１には表示装置３が接続されており、画像などの各種情報を表示装置３に表示させることが可能である。
【００２０】
また、上述の酒場市場向けカラオケ装置１００は、カラオケ装置が設置されたスナックなどの店舗に設置される。すなわち、店舗は、カウンターおよびテーブルＡ〜Ｄを備えている。このカウンターには、カラオケ装置本体１、マスターリモコン端末２Ｍ、表示装置３、および無線ＬＡＮアクセスポイント５が設置されており、テーブルＡ〜Ｄにはマスターリモコン端末２Ｍ以外のリモコン端末２が設置されている。
【００２１】
［カラオケ装置本体１の構成の説明］
図２はカラオケ装置本体１およびリモコン端末２の構成を示すブロック図である。なお、マスターリモコン端末２Ｍとマスターリモコン端末２Ｍ以外のリモコン端末２とは構成は同一であるため、図２ではリモコン端末２ついては一つのみ図示し、マスターリモコン端末２Ｍについては図示を省略している。
【００２２】
カラオケ装置本体１は、図２に示すように、カラオケ装置本体１全体の動作を制御する制御部１２、カラオケ装置本体１をネットワーク８０に接続するためのインタフェース部１４、演奏楽曲の伴奏内容および歌詞を示す楽曲データや映像データなどを記憶するハードディスク（ＨＤＤ）１６、複数のキー・スイッチからなる操作部１８、リモコン端末２や携帯電話からの赤外線信号を受信するための赤外線通信部２０、操作部１８からの信号を処理する操作処理部２２、ハードディスク１６に記憶された楽曲データから演奏楽曲のオーディオ信号（音響・音声に関する信号）を生成し、生成されたオーディオ信号およびマイクロフォン２６から入力されたオーディオ信号を増幅してスピーカ２８へ出力する音声制御部２４、ＭＩＤＩ音源３０、映像情報を一時的に記憶するビデオＲＡＭ３２、映像データに基づく映像の再生を制御する映像再生部３４、ビデオＲＡＭ３２に記憶された映像情報および映像再生部３４により再生される映像の表示部３６での表示を制御する映像制御部３８などを備えている。また、制御部１２と音声制御部とはＵＳＢ４０によって接続されている。また、制御部１２は、各種処理を実行する。
【００２３】
また、制御部１２は、ＦＴＰ（Ｆｉｌｅ  Ｔｒａｎｓｆｅｒ  Ｐｒｏｔｏｃｏｌ）手順に従い、ＦＴＰサーバとしての機能を有する、ＦＴＰ接続処理（後述）を実行する。
なお、インタフェース部１４および赤外線通信部２０は本体側送受信手段に該当する。また、ＨＤＤ１６は本体側情報記憶手段および本体側リスト記憶手段に該当する。また、制御部１２は、本体側記憶制御手段および本体側送信制御手段に該当する。
【００２４】
［リモコン端末２の構成の説明］
リモコン端末２は、図２に示すように、リモコン端末２全体の動作を制御する制御部５２、カラオケ装置本体１に赤外線信号を送信する赤外線通信部５４、各種情報を記憶するメモリ５６、表示部５８の表示領域に沿って設置されるタッチパネルおよび複数のキー・スイッチからなる操作部６０、操作部６０からの信号を処理する操作処理部６２、映像情報を一時的に記憶するビデオＲＡＭ６４、ビデオＲＡＭ６４に記憶された映像情報の表示部５８での表示を制御する映像制御部６６、ネットワーク８０に接続された無線ＬＡＮアクセスポイント５との間で無線ＬＡＮ規格（例えば、ＩＥＥＥ８０２．１１ａ／ｂ／ｇ規格）に従った無線通信を行うための無線ＬＡＮ通信部６８、ＵＳＢ制御部７０などを備えている。
【００２５】
このうち無線ＬＡＮ通信部６８は、カラオケ装置本体１から無線ＬＡＮアクセスポイント５を介して送信された各種データを受信可能である。
また、制御部５２は、無線ＬＡＮ通信部６８によって受信された歌詞データで示される歌詞を表示部５８に表示させる機能を有する。また、制御部５２は、無線ＬＡＮ通信部６８によりカラオケ装置本体１とデータ通信可能である場合には、そのカラオケ装置本体１からシリアルナンバーを示す情報を取得することにより、カラオケ装置本体１が設置された位置を当該リモコン端末２が存在する位置と特定する機能を有する。
【００２６】
また、制御部５２は、ＦＴＰ手順に従い、ＦＴＰクライアントとしての機能を有し、後述する十八番曲情報登録処理（１）および十八番曲情報取得処理を実行する。また、マスターリモコン端末２Ｍでは、制御部５２は、後述する十八番曲情報登録処理（２）を実行する。
【００２７】
また、メモリ５６は、図８（ａ）に例示する「十八番データベース（ユーザ管理テーブル）」、図８（ｂ）に例示する「十八番データベース（曲テーブル）」、図８（ｃ）に例示する「データベーススクリプト書式」を記憶している。
【００２８】
このうち「十八番データベース（ユーザ管理テーブル）」は、ユーザＩＤ、ユーザ名、よみがな、キー設定を関連付けたデータ構造を有し、それぞれの名前に対して列名およびデータ型が設定されている。なお、この「十八番データベース（ユーザ管理テーブル）」には、文字列「ohako#user#table」が割り当てられている。
【００２９】
また、「十八番データベース（曲テーブル）」は、ユーザＩＤ、曲番号、曲別キー設定を関連付けたデータ構造を有し、それぞれの名前に対して列名およびデータ型が設定されている。なお、「十八番データベース（曲テーブル）」には、文字列「ohako#song#table」が割り当てられている。
【００３０】
また、「データベーススクリプト書式」は、日時、テーブル名、操作種別、列名を関連付けたデータ構造を有している。つまり、リモコン端末２に十八番登録された場合には、上述の「データベーススクリプト書式」に基づいてファイル生成されるのである。
【００３１】
一例を挙げると、「加藤さん」と「田中さん」を十八番データベースにユーザ登録した場合には、次の式（１）および式（２）のようなデータベーススクリプトとなる。また、「加藤さん」の十八番曲データベースに５５５番の曲を「キー設定３」で登録した場合には、次の式（３）のようなデータベーススクリプトとなる。
【００３２】
「20051001100000,ohako#user#table,i,1,加藤,かとう,1」…式（１）
「20051001100001,ohako#user#table,i,2,田中,たなか,1」…式（２）
「20051001100010,ohako#song#table,i,1,555,3」…式（３）
なお、操作部６０および操作処理部は十八番曲受付手段に該当する。また、メモリ５６は端末側情報記憶手段および端末側リスト記憶手段に該当する。赤外線通信部５４、無線ＬＡＮ通信部６８およびＵＳＢ制御部７０は端末側送受信手段に該当する。また、制御部５２は端末側送信制御手段に該当する。また、マスターリモコン端末２Ｍでは、制御部５２が十八番曲リスト更新手段に該当する。
【００３３】
［十八番曲情報登録処理（１）の説明］
以下に、リモコン端末２の制御部５２が実行する十八番曲情報登録処理（１）の処理手順を図３のフローチャートおよび図７に基づいて説明する。なお、図７は酒場市場向けカラオケシステムにおける各種処理を説明するための説明図である。
【００３４】
この十八番曲情報登録処理は、リモコン端末２が起動している間に繰り返し実行される。
まず、内部時計を参照して、十八番曲情報を登録する時刻であるか否かを判断する（Ｓ１１０）。この時刻については、特許請求の範囲における「第一の所定条件」に該当し、例えば午前８時といった具合に予め設定しておくことが考えられる。十八番曲情報を登録する時刻ではないと判断された場合には（Ｓ１１０：ＮＯ）、十八番曲情報を登録する時刻であると判断されるまで待機する。一方、十八番曲情報を登録する時刻であると判断された場合には（Ｓ１１０：ＹＥＳ）、カラオケ装置本体１に対してＦＴＰ接続を行う（Ｓ１２０）。なお、ここで言う「リモコン端末２によるカラオケ装置本体１に対するＦＴＰ接続」とは、リモコン端末２がＦＴＰ手順に従い、ＦＴＰクライアントとして、ＦＴＰサーバであるカラオケ装置本体１へ接続することである。また、マスターリモコン端末２ＭによるＦＴＰ接続についても、前記リモコン端末２によるＦＴＰ接続と同様に、マスターリモコン端末２ＭがＦＴＰクライアントとして動作する。そして、ＨＤＤが記憶する十八番データスクリプトを読み出し、その読み出した十八番データスクリプトをカラオケ装置本体１へコピーする（Ｓ１３０）。具体的には、その読み出した十八番データスクリプトをカラオケ装置本体１へ送信し、カラオケ装置本体１から保存を完了した旨の信号を取得するまで待機する。なお、「十八番データスクリプト」とは、蓄積された十八番曲情報を示すデータを云う。十八番データスクリプトをカラオケ装置本体１へコピーし終えたら、カラオケ装置本体１に対するＦＴＰ接続を切断し（Ｓ１４０）、本処理を終了する。
【００３５】
［十八番曲情報登録処理（２）の説明］
以下に、マスターリモコン端末２Ｍの制御部５２が実行する十八番曲情報登録処理（２）の処理手順を図４のフローチャートおよび図７に基づいて説明する。なお、図７は酒場市場向けカラオケシステムにおける各種処理を説明するための説明図である。
【００３６】
この十八番曲情報登録処理は、マスターリモコン端末２Ｍが起動している間に繰り返し実行される。
まず、内部時計を参照して、十八番曲情報をマージする時刻であるか否かを判断する（Ｓ２０５）。この時刻については、特許請求の範囲における「第二の所定条件」に該当し、例えば午前９時といった具合に予め設定しておくことが考えられる。なお、十八番曲情報登録処理（１）のステップＳ１１０における「十八番曲情報を登録する時刻」よりも後に設定することが望ましい。十八番曲情報をマージする時刻ではないと判断された場合には（Ｓ２０５：ＮＯ）、十八番曲情報をマージする時刻であると判断されるまで待機する。一方、十八番曲情報をマージする時刻であると判断された場合には（Ｓ２０５：ＹＥＳ）、カラオケ装置本体１に対してＦＴＰ接続を行う（Ｓ２１０）。そして、各リモコンがカラオケ装置本体１へ送信した十八番データスクリプトをカラオケ装置本体１から取得する（Ｓ２１５）。具体的には、各リモコンがカラオケ装置本体１へ送信した十八番データスクリプトを送信するよう要求し、その要求に応じてカラオケ装置本体１から送信された十八番データスクリプトを受信し、内部メモリなどに一旦保存する。そして、十八番データスクリプトをカラオケ装置本体１から受信し終えたら、カラオケ装置本体１に対するＦＴＰ接続を切断する（Ｓ２２０）。さらに、カラオケ装置本体１から取得した十八番データスクリプトを時系列にソートし（Ｓ２２５）、その時系列にソートした十八番データスクリプトを、ＨＤＤが記憶する十八番データベースに適用する（Ｓ２３０）。
【００３７】
取得した十八番データスクリプトを十八番データベースに適用したら、カラオケ装置本体１に対してＦＴＰ接続を再び行い（Ｓ２３５）、先のＳ２３０にてすべての十八番データスクリプトを適用した十八番データベースの内容を、カラオケ装置本体１へコピーする（Ｓ２４０）。具体的には、そのすべての十八番データスクリプトを適用した十八番データベースの内容をカラオケ装置本体１へ送信し、カラオケ装置本体１から保存を完了した旨の信号を取得するまで待機する。十八番データベースの内容をカラオケ装置本体１へコピーし終えたら、カラオケ装置本体１に対するＦＴＰ接続を切断し（Ｓ２４５）、新しい十八番データがカラオケ装置本体１に登録された旨を示す信号を他のリモコンに対して送信する（Ｓ２５０）。そして、本処理を終了する。
【００３８】
［十八番曲情報取得処理の説明］
以下に、リモコン端末２の制御部５２が実行する十八番曲情報取得処理の処理手順を図５のフローチャートおよび図７に基づいて説明する。なお、図７は酒場市場向けカラオケシステムにおける各種処理を説明するための説明図である。
【００３９】
この十八番曲情報取得処理は、リモコン端末２が起動している間に繰り返し実行される。
まず、新しい十八番データがカラオケ装置本体１に登録された旨を示す信号を受信したか否かを判断する（Ｓ３１０）。上述の信号を受信していないと判断された場合には（Ｓ３１０：ＮＯ）、上述の信号を受信したと判断されるまで待機する。一方、上述の信号を受信したと判断された場合には（Ｓ３１０：ＹＥＳ）、特許請求の範囲における第三の条件を満たしたと判断し、カラオケ装置本体１に対してＦＴＰ接続を行う（Ｓ３２０）。そして、十八番データベースの内容をカラオケ装置本体１から取得する（Ｓ３３０）。具体的には、十八番データベースの内容を送信するようカラオケ装置本体１に対して要求し、その要求に応じてカラオケ装置本体１から送信された十八番データベースの内容を受信し、内部メモリなどに一旦保存する。そして、十八番データベースの内容をカラオケ装置本体１から取得し終えたら、カラオケ装置本体１に対するＦＴＰ接続を切断し（Ｓ３４０）、取得した十八番データベースの内容をＨＤＤが記憶する十八番データベースに適用する（Ｓ３５０）。そして、本処理を終了する。
【００４０】
［ＦＴＰ接続処理の説明］
以下に、カラオケ装置本体１の制御部１２が実行するＦＴＰ接続処理の処理手順を図６のフローチャートおよび図７に基づいて説明する。なお、図７は酒場市場向けカラオケシステムにおける各種処理を説明するための説明図である。
【００４１】
このＦＴＰ接続処理は、カラオケ装置本体１が起動している間に繰り返し実行される。
まず、リモコン端末２からの要求に応じてＦＴＰ接続を行い、そのリモコン端末２に対して各種サービスを実行する（Ｓ４１０）。カラオケ装置本体１の電源がオフであるか否かを判断する（Ｓ４２０）。カラオケ装置本体１の電源がオフではなくオンであると判断された場合には（Ｓ４２０：ＮＯ）、Ｓ４１０に移行する。一方、カラオケ装置本体１の電源がオフであると判断された場合には（Ｓ４２０：ＹＥＳ）、本処理を終了する。
【００４２】
［効果］
このように第一実施形態の酒場市場向けカラオケ装置１００によれば、リモコン端末２から入力された十八番曲情報をカラオケ装置本体１に一旦集めた後に特定のリモコン端末であるマスターリモコン端末２Ｍにて過去の十八番曲リストとともに集計することで最新の十八番曲リストとし、その最新の十八番曲リストをカラオケ装置本体１およびリモコン端末２に記憶させる。このことにより、カラオケ装置本体１が設置されたスナックなどの店舗において、顧客の利便性を向上させながら、カラオケ装置本体１の管理者の負担を軽減することができる。
【００４３】
［他の実施形態］
以上、本発明の一実施形態について説明したが、本発明は上記実施形態に限定されるものではなく、以下のような様々な態様にて実施することが可能である。
【００４４】
（１）上記実施形態では、十八番曲情報登録処理のステップＳ１１０において、内部時計を参照して、十八番曲情報を登録する時刻であると判断された場合には（Ｓ１１０：ＹＥＳ）、カラオケ装置本体１に対してＦＴＰ接続を行う（Ｓ１２０）が、これに限られず、他の条件を満たして場合に、カラオケ装置本体１に対してＦＴＰ接続を行うようにしてもよい。一例を挙げると、リモコン端末２の電源が投入された場合には、カラオケ装置本体１に対してＦＴＰ接続を行うといった具合である。
【００４５】
（２）また、上記実施形態では、十八番曲情報登録処理のステップＳ２０５において、内部時計を参照して、十八番曲情報をマージする時刻であると判断された場合には（Ｓ２０５：ＹＥＳ）、カラオケ装置本体１に対してＦＴＰ接続を行う（Ｓ２１０）が、これには限られず、他の条件を満たして場合に、カラオケ装置本体１に対してＦＴＰ接続を行うようにしてもよい。一例を挙げると、リモコン端末２の電源が投入された場合には、カラオケ装置本体１に対してＦＴＰ接続を行うといった具合である。
【００４６】
（３）また、上記実施形態では、十八番曲情報取得処理のステップＳ３１０において、新しい十八番データがカラオケ装置本体１に登録された旨を示す信号を受信したと判断された場合には（Ｓ３１０：ＹＥＳ）、特許請求の範囲における第三の条件を満たしたと判断し、カラオケ装置本体１に対してＦＴＰ接続を行う（Ｓ３２０）が、これには限られず、他の条件を満たしている場合に、カラオケ装置本体１に対してＦＴＰ接続を行うようにしてもよい。一例を挙げると、例えば午前８時など予め設定した時刻であることや、リモコン端末２の電源が投入された場合には、カラオケ装置本体１に対してＦＴＰ接続を行うといった具合である。
【００４７】
（４）また、マスターリモコン端末２Ｍにおいて、演奏楽曲に対応する料金などの情報を表示するようにしてもよい。具体的には、マスターリモコン端末２Ｍにおいて、十八番曲情報を受信した際に、制御部５２が、十八番曲情報に含まれる演奏楽曲に関する演奏楽曲情報を外部から取得する。なお、上述の演奏楽曲情報の具体例としては、カラオケ装置の利用料や、演奏楽曲の利用料などが考えられる。そして、制御部５２が、その取得した演奏楽曲情報を、対応する十八番曲情報とともに表示部５８に表示させる。
【００４８】
なお、制御部５２は情報取得手段および表示制御手段に該当する。また、表示部５８は表示手段に該当する。
このようにすれば、カラオケ装置本体１を利用する度に利用料を店員が顧客から徴収しなくても、表示部５８に表示された演奏楽曲情報を参照して利用料を集計し、会計清算時にまとめて請求することができ、カラオケ装置本体１の利用料をその都度顧客から徴収する手間が省けるとともに、管理者の負担を軽減することができる。また、例えば徴収した利用料を店員が管理者に渡すのを失念したり、顧客ごとの利用料を管理者が誤って集計したりする可能性が少なくなる。
【図面の簡単な説明】
【００４９】
【図１】酒場市場向けカラオケ装置の全体構成を示すブロック図である。
【図２】カラオケ装置およびリモコン端末の構成を示すブロック図である。
【図３】リモコン端末の制御部が実行する十八番曲情報登録処理（１）を示すフローチャートである。
【図４】マスターリモコン端末の制御部が実行する十八番曲情報登録処理（２）を示すフローチャートである。
【図５】リモコン端末の制御部が実行する十八番曲情報取得処理を示すフローチャートである。
【図６】カラオケ装置の制御部が実行するＦＴＰ接続処理を示すフローチャートである。
【図７】酒場市場向けカラオケシステムにおける各種処理を説明するための説明図である。
【図８】（ａ）はリモコン端末のＲＡＭが記憶する十八番データベース（ユーザ管理テーブル）を示す説明図であり、（ｂ）はリモコン端末のＲＡＭが記憶する十八番データベース（曲テーブル）を示す説明図であり、（ｃ）はリモコン端末のＲＡＭが記憶する「データベーススクリプト書式」を示す説明図である。
【符号の説明】
【００５０】
１…カラオケ装置本体、２…十八番登録機（リモコン端末）、２（２Ｍ）…十八番登録マスター機（マスターリモコン端末）、３…表示装置、５…無線ＬＡＮアクセスポイント、１２…制御部、１４…インタフェース部、１６…ハードディスク、１８…操作部、２０…赤外線通信部、２２…操作処理部、２４…音声制御部、２６…マイクロフォン、２８…スピーカ、３０…ＭＩＤＩ音源、３２…ビデオＲＡＭ、３４…映像再生部、３６…表示部、３８…映像制御部、５２…制御部、５４…赤外線通信部、５６…メモリ、５８…表示部、６０…操作部、６２…操作処理部、６４…ビデオＲＡＭ、６６…映像制御部、６８…無線ＬＡＮ通信部、７０…ＵＳＢ制御部、８０…ネットワーク、１００…酒場市場向けカラオケ装置
【図１】
2007155770.tif 000003
【図２】
2007155770.tif 000004
【図３】
2007155770.tif 000005
【図４】
2007155770.tif 000006
【図５】
2007155770.tif 000007
【図６】
2007155770.tif 000008
【図７】
2007155770.tif 000009
【図８】
2007155770.tif 000010